(57)【要約】【課題】厚さが一定ではない長尺の薬包帯を、送り出したり、あるいは引き出したりする動作をする際の、薬包帯のミシン目あるいはミシン目以外の破断や絡まることを防ぎ、また、長尺の薬包帯が短くなった場合の、送り出したり、あるいは引き出したりする動作をする際の、薬包帯の破断や絡まりを防ぐ薬包帯送り機構を提供する。【解決手段】ローラの上側と下側で形状と硬度が異なり、ローラの上側に薬包帯の送り機構を持たせて、ローラの上側が回転することによって薬包帯を送り出し、また、ローラの下側は薬包帯の送り機能を持たず、薬包帯が送られる際に、ならって回転して送りをガイドするのみの役割を果たす。ローラは複数の構成からなる。【選択図】図１
2015063364.tif 000002
【特許請求の範囲】
【請求項１】
薬包帯を移動させる機構を持つ薬包帯装置において、一包化された長尺薬包帯を、起立状態のまま横方向に送るガイド部と、薬包の厚さの差を吸収するために上部が高硬度材質、下部が低硬度材質からなる構造を持つ複数のローラ部と、複数のローラ部を同期して薬包帯を移動させる同期部からなり、薬包帯の送り出しや引き込み動作を行うことを特徴とする薬包帯送り機構。
【請求項２】
請求項１のローラ部が、高硬度の材質を使用し、下部をテーパー形状にしたことを特徴とする薬包帯送り機構。
【請求項３】
請求項１のローラ部が、高硬度の材質を使用し、下部を太鼓形状にしたことを特徴とする薬包帯送り機構。
【請求項４】
請求項１のローラ部が、上部を高硬度の材質、下部を低硬度の材質を使用し、下部をテーパー形状にしたことを特徴とする薬包帯送り機構。
【発明の詳細な説明】
【技術分野】
【０００１】
本発明は、一連の一包化薬剤からなる長尺の薬包帯を使用する装置において、薬包帯送り機構に関するものである。
【背景技術】
【０００２】
1回に服用する複数種類の薬剤を薬包帯で梱包した一包化薬剤は、高齢者等の飲み忘れや飲み間違いを防ぐということから、医師は一包化を処方するようになってきた。しかし、一包化した薬包は、錠剤やカプセル錠あるいは粉薬の数が多種類入れられ、多い場合には１０錠以上にもなり、薬包の長さは数種類設定可能であるが、厚さはそれぞれの薬剤数によって異なり、連続包装された薬包帯を移動させる際に、薬包の途中での破断等の危険性があり、また、薬包帯を使用する装置の送り機構に薬包帯が絡まり、安定して薬包帯を送ることができないという問題点があった。
【０００３】
薬包帯が破断しにくくなるような一例として、例えば特許文献１は大径ローラにおける中間部分の外周面に、周方向に見て等ピッチで径の増減する凹凸をつけたものがある。
【０００４】
薬包帯を安定して送る一例として、例えば特許文献２は係止部材を設けたものがある。
【先行技術文献】
【特許文献】
【０００５】
【特許文献１】特開２００７−０８４０７３号
【特許文献２】特開２００２−０６８１１９号
【特許文献３】特開２０１１−３０９３４号
【特許文献４】特開２０１２−１６５８００号
【発明の概要】
【発明が解決しようとする課題】
【０００６】
解決しようとする第１の課題は、厚さが一定ではない長尺の薬包帯を、送り出したり、あるいは引き出したりする動作をする際の、薬包帯のミシン目あるいはミシン目以外の破断を防ぐことにある。
【０００７】
解決しようとする第２の課題は、厚さが一定ではない長尺の薬包帯を、送り出したり、あるいは引き出したりする動作をする際の、薬包帯が絡まることを防ぐことにある。
【０００８】
解決しようとする第３の課題は、長尺の薬包帯が短くなった場合の、送り出したり、あるいは引き出したりする動作をする際の、薬包帯の破断や絡まりを防ぐことにある。
【課題を解決するための手段】
【０００９】
上記の第１、第２、第３の課題を解決するために、ローラの上側と下側で形状と硬度が異なり、ローラの上側に薬包帯の送り機構を持たせて、ローラの上側が回転することによって薬包帯を送り出し、また、ローラの下側は薬包帯の送り機能を持たず、薬包帯が送られる際に、ならって回転して送りをガイドするのみの役割を果たす。ローラは複数の構成からなる。
【発明の効果】
【００１０】
本発明は、ローラ部の上側に薬包帯の送り機能を持たせ、ローラ部の下側には薬包の厚さを吸収するための硬度と形状で送りをガイドする機能のみを持たせることによって、薬包帯のミシン目あるいはミシン目以外の破断を防ぐことができる。
【図面の簡単な説明】
【００１１】
【図１】本発明の第1の実施の形態に係る薬包帯送り機構の斜視図である。
【図２】図１のローラの別形状を示した側面図である。
【発明を実施するための形態】
【００１２】
以下、本発明の実施の形態を図面に基づき説明する。
【００１３】
図１は本発明の第１の実施の形態に係り、薬包帯送り機構の斜視図である。
【００１４】
ローラ部１は、上部の高硬度材質のローラ部１ａが薬包の送り機能を果たすようガイド部２と平行になるようにする。下部の低硬度材質のローラ部１ｂは上部と同じ形状で薬包を柔らかに押さえつつ送れるように低硬度の材質を用いる。高硬度材質のローラ部１ａの材質は、例えば、ウレタンやシリコン等の高硬度の材質を使用する。また、低硬度材質ローラ1ｂは、例えば、スポンジ形状のゴム等の低硬度の材質を使用する。低硬度とは薬包内の薬の形状を変形させず、かつ内部の空気が自由に流動することで薬包が破裂しない程度の硬度の材質を用いる。ローラ部１の高硬度材質のローラ部１ａと低硬度材質のローラ部１ｂは接着剤等で接着して一体化したものである。
【００１５】
ローラ部１の設置本数は、１つの薬包帯の幅内に２本以上設置することによって、薬包帯が１から２つの短くなった場合にも、薬包帯の送りやあるいは引き込み動作を、薬包帯を絡ませないで動作させることができる。ただし、ローラ部１の設置本数は、数種類の薬包幅に対応するために薬包幅内にしなければならないというわけでもない。
【００１６】
ガイド部２は、少なくとも薬包帯４の下部とローラ部１に対する面の２方向をガイドし、薬包帯を起立状態で移動させるようにする。このとき、薬包帯４の上部のガイドはあっても、なくてもどちらでも良い。薬包帯は起立状態で送ることによって、錠剤、粉薬等の薬剤は下部に移動することができる。
【００１７】
同期部３は、２本以上のローラ部１を等速度で回転させ、ローラ部１に接する薬包帯の移動量を等しくして、薬包帯の破断を防ぐことができる。なお、同期部３はギアを用いて実現しているが、機構は周知の他の方法を用いても構わない。
【００１８】
本発明の実施形態の、ローラ部１の別形状について図２を用いて説明する。
【００１９】
テーパー形状のローラ部５ａは、高硬度材質、例えば、ウレタンやシリコン等の高硬度の材質を使用し、下部をテーパー形状にしたものである。
【００２０】
曲線形状のローラ部５ｂは、高硬度材質、例えば、ウレタンやシリコン等の高硬度の材質を使用し、下部を太鼓形状にしたものである。
【００２１】
複合材質によるテーパー形状のローラ部５ｃは、上部を高硬度材質、例えば、ウレタンやシリコン等の高硬度の材質を使用する。また、下部は、低硬度材質、例えば、スポンジ形状のゴム等の低硬度の材質を使用し、テーパー形状にする。テーパー形状のローラ部５ｃの上部と下部は接着剤等で接着する。
【００２２】
テーパー形状のローラ部５ａ、曲線形状のローラ部５ｂ、複合材質によるテーパー形状のローラ部５ｃによって、薬包帯の送りを行う。
【産業上の利用可能性】
【００２３】
本発明の薬包帯送り機構は、薬局等で一包化薬剤を調剤する分包機の薬包帯巻き取り機構、あるいは特許文献３、特許文献４の薬剤送り出し機構に利用することができる。
【符号の説明】
【００２４】
１    ローラ部
１ａ  高硬度材質のローラ部
１ｂ  低硬度材質のローラ部
２    ガイド部
３    同期部
４    薬包帯
５ａ  テーパー形状のローラ部
５ｂ  曲線形状のローラ部
５ｃ  複合材質によるテーパー形状のローラ部
【図１】
2015063364.tif 000003
【図２】
2015063364.tif 000004